(57)【要約】【課題】ソースやたれ等の容器入り調味料を、中身のピザ等と触れ合わない状態で一緒に収められ、且つ、１枚の段ボールから簡単・迅速に折上げられる、ピザ等用の包装箱を提供する。【解決手段】１枚の段ボールのうち、箱本体の側壁面となる部分の側端に、ほぼ三角皿状の調味料収納部の３面の側壁のうちの２面を形成させる為の帯板状片を連設し、残る１面は、箱本体の側壁面と共用し、    帯板状片の自由端には、箱本体の側壁面に設けた掛止用切れ目に係合させる為の、掛止片を連設したことを特徴とする。  又、箱本体の底面となる部分には、調味料収納部の側壁に沿わせる為の、立上片を切起状に設けたことも特徴とする。【選択図】図３
0003106867.tif 000002
【実用新案登録請求の範囲】
【請求項１】
ほぼ角皿状を成す箱本体の上縁に、蓋体が一体に連なり、且つ、箱本体の隅角部には、付属の調味料容器を収める為の、ほぼ三角皿状の調味料収納部を備えた包装箱が、１枚の段ボールから折上がる様にしたものであって、
１枚の段ボールのうち、箱本体の側壁面となる部分の側端に、三角皿状の調味料収納部の３面の側壁のうちの２面を形成させる為の帯板状片を連設し、残る１面は、箱本体の側壁面と共用し、  
帯板状片の自由端には、箱本体の側壁面に設けた掛止用切れ目に係合させる為の、掛止片を連設したことを特徴とするピザ等用の包装箱。
【請求項２】
箱本体の底面となる部分には、調味料収納部の側壁に沿わせる為の、立上片を切起状に設けたことを特徴とする請求項１記載のピザ等用の包装箱。
【考案の詳細な説明】
【技術分野】
【０００１】
本考案は、従来から使われて来た、ピザパイ等の持ち帰り用の包装箱の、改良に関する。
【背景技術】
【０００２】
上記の在来の包装箱は、１枚の化粧段ボールから、蓋付きの、ほぼ角皿状の箱が折上がる様に作られている（本考案の図３参照）。  
【考案の開示】
【考案が解決しようとする課題】
【０００３】
ピザパイ等には限られないが、嗜好性の強い食品の場合は特に、味の好みに微妙な個人差がある。
かと云って、この多様な好みを満足させるべく、他種多様なタイプを作り分けることは、勿論、非現実的である。
そこで、持ち帰り客には、幾種類かの、ソースやたれ等の容器入りの調味料をサービスとして提供することも、一つの方法である。
【０００４】
ところが、在来のピザ等用の包装箱では、この調味料入りの容器を、中身のピザ等の調理済食品と触れ合わない状態で、箱の中に一緒に収めることが出来なかった。
【０００５】
そこで、本考案の目的は、ソースやたれ等の調味料入りの容器を、中身のピザ等の調理済食品と触れ合わない状態で一緒に収めることが出来、然も、１枚の段ボールから簡単迅速に折上げられるピザ等用の包装箱を提供するにある。
【課題を解決するための手段】
【０００６】
上記の目的を達成する為の、本考案によるピザ等用の包装箱は、
ほぼ角皿状を成す箱本体の上縁に、蓋体が一体に連なり、且つ、箱本体の隅角部には、付属の調味料容器を収める為の、ほぼ三角皿状の調味料収納部を備えた包装箱が、１枚の段ボールから折上がる様にしたものであって、
１枚の段ボールのうち、箱本体の側壁面となる部分の側端に、三角皿状の調味料収納部の３面の側壁のうちの２面を形成させる為の帯板状片を連設し、残る１面は、箱本体の側壁面と共用し、  
帯板状片の自由端には、箱本体の側壁面に設けた掛止用切れ目に係合させる為の、掛止片を連設したことを特徴とする。
そして、箱本体の底面となる部分には、調味料収納部の側壁に沿わせる為の、立上片を切起状に設けたことも特徴とする。
【考案の効果】
【０００７】
本考案によるピザ等用の包装箱は、以下に列挙した如き実用上の優れた特長を備えている。
（ａ）ソースやたれ等の容器入りの調味料を、中身のピザ等の調理済食品と触れ合わない状態で一緒に収めることが出来る。
（ｂ）箱本体の底面に切起状に設けた立上片が、包装箱及び付設の調味料収納部を補強してくれる。
（ｃ）又、立上片は、調味料収納部の一部を構成する帯板状片の印刷面が、調理済食品に触れるのを防ぐ役割も果たしてくれる。
（ｄ）上記の調味料収納部を備えた包装箱を、１枚の段ボールから、簡単・迅速に折上げられる。
（ｅ）従って、店が忙しい最中でも、包装に手間が掛からないし、包装箱の保管場所も少なくて済む。
【考案を実施するための最良の形態】
【０００８】
以下に、本考案の一実施例に就いて、図面を参照しながら説明する。
図１は、包装箱を２００を１枚の段ボール１００に展開した状態の平面図、図２は、同じく斜視図、図３は、蓋を開いた状態で折上がった包装箱の斜視図である。図４は、調味料収納部を示す部分拡大斜視図、図５は、蓋を閉ざした包装箱の斜視図である。
【０００９】
図１及び図２に示した１枚の段ボール１００は、ほぼ角皿状の箱本体１０を形成させる本体部Ａと、蓋体２０を形成させる蓋部Ｂと、本体部Ａに折目ａを介して連なり、調味料収納部Ｃ（図３参照）を形成させる帯板状片３０とを備えている。
【００１０】
ほぼ方形を成す本体部Ａは、箱底面１の四辺の夫々に、箱側壁２〜５を折目ｂを介して夫々連接させた形態を備えている。
そして、図３に示した様に、角皿状の箱本体１０の左側（図中で）の２個所の隅角部は、箱の中身のピザの形状に合わせるべく、斜めにカットした如き形態にしている。
【００１１】
その為に、箱底面１の左側の２個所の隅角部には、斜め折目ｃを設け、その両端からは、箱側壁２〜４の夫々直角に跨ぐ折目ｄを夫々設けている。
又、箱側壁２及び３を立ち上げる折目ｂ左端側には切れ目ｅを設けている。
【００１２】
次に、箱底面１の右側の２つの隅角部には、調味料収納部Ｃの側壁に沿わせる為の立上片６を切起状に形成させる為の、縦長コ字形の起立用切れ目ｆを斜め向きに設けている。
【００１３】
更に、箱側壁４の上縁には、蓋体２０を受支持する蓋支承片７を、折目ｇを介して延設している。折目ｇの真ん中部分には、蓋閉じ用の切れ目ｈを設けている。  又、箱側壁２及び３の各右端近くには、コ字形切れ目（掛止用切れ目）８を横向きに設けている。
【００１４】
箱側壁５の上縁には、蓋体２０を、折目ｉを介して延設している。
蓋体２０の先端縁には、蓋支承片７に設けた切れ目ｈに差し込ませる差込片９を、折目を介して延設している。
又、蓋体２０の上下（図中で）両辺には、別の蓋支承片１１を、箱側壁２及び３の内側に沿わせられる様にして、折目を介して延設している。
【００１５】
次に、箱側壁２及び３の各右側端に、折目ａを介して延設した帯板状片３０には、その長手方向に２つ折状に折り曲げる為の折目Ｊを設けている。
又、帯板状片３０の自由端には、箱側壁２及び３に設けたコ字形切れ目８に、抜止状態で挿嵌させる掛止片１２を連設している。
更に、帯板状片３０の上縁には、切欠部１３を設けている。
【００１６】
次に、１枚の段ボール１００から、図３に示した包装箱２００を折上げる手順に就いて、その一例を説明する。
尚、段ボール１００に設けた各折目は、包装箱２００を折上げる為に、段ボール１００に内向きの折曲力を加えると、箱の形が形成される方向に自づから折れ曲がる様に、予め、夫々の向きに折り癖が付けられている。
【００１７】
そこで、先ず、蓋体２０と、左側の箱側壁４とを掴んで、箱側壁４を立ち上げると、それに連れて、箱側壁２及び３も自づから起立する。
又、図の左側の２個所の隅角部が、自づから、斜めにカットされた如き形状に折曲される。
【００１８】
次いで、切れ目ｆに囲まれた立上片６を、その折目に沿って折曲して垂直に起立させる。
【００１９】
然かる後、２枚の帯板状片３０の、夫々に設けた折目ａ及びｊを内向きに折曲させたうえ、夫々の自由端に連設した掛止片１２を、箱側壁２及び３に設けたコ字形切れ目８に、抜止状態で挿嵌させれば、図３及び図４に示した様に、三角皿状の調味料収納部Ｃが、本体部Ａの右側の２個所の隅角部に夫々形成される。
調味料収納部Ｃを組立てる際には、立上片６を、帯板状片３０の外側面に沿わせた状態にする（図４参照）。
【００２０】
次に、箱側壁５を立ち上げると共に、差込片９及び２枚の蓋支承片１１の夫々を下向きに折り曲げる。又、蓋支承片７を内向きに水平に折曲させる。
以上の折曲作業を行うだけで、１枚の段ボール１００から、蓋体２０を開いた状態の包装箱２００が至極簡単・迅速に折上がる。
【００２１】
この包装箱２００に、ソースやたれ等の調味料の入った容器（図示略）を、ピザと一緒入れたい時には、この調味料容器を調味料収納部Ｃに収める。
この様にすれば、包装箱２００の運搬時や、取り扱い中の動揺で、調味料収納部Ｃがピザに触れて汚れたり、ピザにぶっかって形崩れさせてしまう恐れは全く無くなる。  
【００２２】
ところで、調味料収納部Ｃを組立て終えた状態で、帯板状片３０の印刷面が、箱本体１０の内側に現れる。このままの状態では、中身のピザ等が印刷面に直接触れることになり、衛生上、具合が悪い。
【００２３】
然し、この印刷面には、立上片６が既述の如く覆い被さっているので、この様な不具合は起こらなくて済む。
その上、立上片６は、包装箱２００及び付設の調味料収納部Ｃを補強する役割も果たしてくれる。
【００２４】
尚、上記実施例では、包装箱２００に収める品物の一例として、ピザを採り上げている。然し勿論、ピザの類い等に限られず、包装箱２００に収め得る形態を備えている限りに於いて、あらゆる調理済食品を包装するとが出来る。
【図面の簡単な説明】
【００２５】
【図１】本考案の一実施例を示すもので、包装箱を１枚の段ボールに展開させた状態の平面図である。
【図２】同上、１枚の段ボールの斜視図である。
【図３】同上、蓋を開いた状態の包装箱の斜視図である。
【図４】同上、調味料収納部を示す部分拡大斜視図である。
【図５】同上、蓋を閉ざした包装箱の斜視図である。
【符号の説明】
【００２６】
１００  １枚の段ボール
２００  包装箱
Ａ  本体部
Ｂ  蓋部
Ｃ  調味料収納部
１  箱底面
２〜５  箱側壁
６  立上片
７，１１  蓋支承片
８  コ字形切れ目（掛止用切れ目）
９  差込片
１２  掛止片   
１３  切欠部
１０  箱本体
２０  蓋体
３０  帯板状体
ａ〜ｄ，ｇ，ｉ，ｊ  折目
ｅ，ｆ，ｈ  切れ目 
【図１】
0003106867.tif 000003
【図２】
0003106867.tif 000004
【図３】
0003106867.tif 000005
【図４】
0003106867.tif 000006
【図５】
0003106867.tif 000007